(57)【要約】【課題】商品の付属品を付け替えたときの効果を顧客が体感できるようにする。【解決手段】デジタルサイネージ装置１によれば、通信部２６により一眼レフカメラ２に装着されたレンズに係る装着レンズ情報を受信すると、制御部２３は、受信した装着レンズ情報に基づいて撮影画像を補正し、補正された撮影画像を通信部２６により一眼レフカメラ２に送信する。【選択図】図５
2018101935.tif 000002
【特許請求の範囲】
【請求項１】
商品に装着された付属品に係る付属品情報を取得する取得手段と、  
前記取得手段により取得された付属品情報に基づいて画像を補正する補正手段と、
前記補正手段により補正された画像を前記商品に送信する送信手段と、
を備える通信装置。
【請求項２】
前記取得手段により前記付属品情報が取得された場合に、前記付属品に係るコンテンツを出力手段に出力させる出力制御手段を備える請求項１に記載の通信装置。
【請求項３】
前記取得手段は、前記商品から前記付属品情報とともに前記商品に表示されている画像を取得し、
前記補正手段は、前記取得手段により取得された付属品情報に基づいて、前記取得手段により取得された画像を補正する請求項１又は２に記載の通信装置。
【請求項４】
前記商品は撮影装置であり、前記付属品はレンズであり、
前記補正手段は、前記取得手段により取得されレンズ情報に基づいて、前記画像を前記撮影装置に装着されたレンズの特性に応じた画像に補正する請求項１〜３の何れか一項に記載の通信装置。
【請求項５】
前記画像は撮影画像であり、当該撮影画像には、当該撮影画像を撮影したときに使用されたレンズのレンズ情報が付帯されており、
前記補正手段は、前記取得手段により取得されたレンズ情報と前記撮影画像に付帯されているレンズ情報とに基づいて、前記撮影画像を前記撮影装置に装着されたレンズの特性に応じた画像に補正する請求項４に記載の通信装置。
【請求項６】
商品に装着された付属品に係る付属品情報を取得する取得工程と  
前記取得工程において取得された付属品情報に基づいて画像を補正する補正工程と、  前記補正工程において補正された画像を前記商品に送信する送信工程と、
を含む通信方法。
【請求項７】
コンピュータを、
商品に装着された付属品に係る付属品情報を取得する取得手段、  
前記取得手段により取得された付属品情報に基づいて画像を補正する補正手段、
前記補正手段により補正された画像を前記商品に送信する送信手段、
として機能させるためのプログラム。
【発明の詳細な説明】
【技術分野】
【０００１】
本発明は、通信装置、通信方法及びプログラムに関する。
【背景技術】
【０００２】
従来、広告コンテンツに登場する人物等の輪郭の形状に形成されたスクリーンに当該コンテンツを投影することにより、閲覧者に対して印象を高めることができる映像出力装置が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
しかしながら、特許文献１に記載の映像出力装置は一方的な広告コンテンツを出力するだけであり、商品の付属品を実際に付け替えたときの効果を顧客に体感してもらうことはできなかった。例えば、一眼レフカメラのレンズを実際に付け替えた場合にカメラ側で得られる撮影画像がどのように変化するのかを顧客に体感してもらうことはできなかった。
【０００５】
本発明の課題は、商品の付属品を付け替えたときの効果を顧客が体感できるようにすることである。
【課題を解決するための手段】
【０００６】
上記課題を解決するため、請求項１に記載の発明の通信装置は、
商品に装着された付属品に係る付属品情報を取得する取得手段と、  
前記取得手段により取得された付属品情報に基づいて画像を補正する補正手段と、  前記補正手段により補正された画像を前記商品に送信する送信手段と、
を備える。
【発明の効果】
【０００７】
本発明によれば、商品の付属品を付け替えたときの効果を顧客が体感することが可能となる。
【図面の簡単な説明】
【０００８】
【図１】本実施形態におけるコンテンツ出力システムの全体構成例を示す図である。
【図２】図１のデジタルサイネージ装置の機能的構成を示すブロック図である。
【図３】図２のスクリーン部の概略構成を示す図である。
【図４】図１の一眼レフカメラの機能的構成を示すブロック図である。
【図５】レンズが付け替えられ再生モードが設定された際に、デジタルサイネージ装置と一眼レフカメラにおいて実行される処理の流れを示す図である。
【発明を実施するための形態】
【０００９】
以下、添付図面を参照して本発明に係る実施形態を詳細に説明する。本発明は、図示例に限定されるものではない。
【００１０】
［コンテンツ出力システム１００の構成］
図１は、本発明の実施形態におけるコンテンツ出力システム１００の全体構成を示す図である。コンテンツ出力システム１００は、図１に示すように、通信装置としてのデジタルサイネージ装置１と、撮影装置としての一眼レフカメラ２とを備えて構成されている。
【００１１】
［デジタルサイネージ装置１の構成］
デジタルサイネージ装置１は、店舗等において、商品（ここでは、一眼レフカメラ２）の付属品（ここでは、レンズ）を宣伝するためのコンテンツを出力する装置である。
【００１２】
図２は、デジタルサイネージ装置１の主制御構成を示すブロック図である。図３は、図２のスクリーン部２２の概略構成を示す正面図である。デジタルサイネージ装置１は、図２に示すように、コンテンツの映像光を照射する投影部２１と、投影部２１から照射された映像光を背面で受けて前面に投影するスクリーン部２２とを備えている。
【００１３】
まず、投影部２１について説明する。
投影部２１は、制御部２３と、プロジェクタ２４と、記憶部２５と、通信部２６と、を備えている。プロジェクタ２４、記憶部２５、通信部２６は、図２に示すように制御部２３に接続されている。
【００１４】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。制御部２３は、プログラムとの協働により、図５に示す画像補正処理におけるデジタルサイネージ装置１側の処理を始めとする各種処理を実行する。制御部２３は、補正手段、出力制御手段として機能する。
【００１５】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。プロジェクタ２４は、画像形成部２７との協働により出力手段として機能する。
【００１６】
記憶部２５は、ＨＤＤ（Hard Disk Drive）や不揮発性の半導体メモリ等により構成される。記憶部２５には、図２に示すように、プログラム記憶部２５１が設けられている。プログラム記憶部２５１には、制御部２３で実行されるシステムプログラムや、各種処理を実行するための処理プログラム、これらのプログラムの実行に必要なデータ等が記憶されている。
【００１７】
また、記憶部２５には、コンテンツ情報記憶部２５２が設けられている。コンテンツ情報記憶部２５２には、コンテンツを識別するためのコンテンツ番号に対応付けて、デジタルサイネージ装置１でコンテンツを出力するためのコンテンツ情報（コンテンツデータ）が記憶されている。コンテンツ情報は、例えば、コンテンツを構成する複数のフレーム画像の画像データ及び各フレーム画像に対応する音声データにより構成されている。
【００１８】
本実施形態において、コンテンツ情報記憶部２５２に記憶されているコンテンツ情報は、一眼レフカメラ２に付け替え（装着）可能な各レンズを紹介するコンテンツのコンテンツ情報であり、各レンズのレンズ情報（型番）に対応付けて、そのレンズを紹介するコンテンツのコンテンツ情報が記憶されている。
【００１９】
また、記憶部２５には、レンズ特性記憶部２５３が設けられている。レンズ特性記憶部２５３には、一眼レフカメラ２に付け替え可能なレンズのレンズ情報（型番）と、そのレンズの特性情報（例えば、画角、焦点距離、Ｆ値等）とが対応付けて記憶されている。
【００２０】
通信部２６は、例えば、一眼レフカメラ２等の外部機器と通信を行うためのインターフェースを有する。通信部２６は、例えば、ブルートゥース（登録商標：Bluetooth）やＷｉ−Ｆｉ（Wireless Fidelity）等の無線通信規格に従って外部機器とデータの送受信を行う。或いは、ＵＳＢ（Universal Serial Bus）等の有線通信規格に従って外部機器とデータの送受信を行うこととしてもよい。通信部２６は、取得手段、送信手段として機能する。
【００２１】
次に、スクリーン部２２について説明する。
図３に示すように、スクリーン部２２には、画像形成部２７と、画像形成部２７を支持する台座２８とが備えられている。
【００２２】
画像形成部２７は、映像光の照射方向に対して略直交するように配置された、例えばアクリル板などの一枚の透光板に、フィルム状のフレネルレンズが積層された背面投影用のフィルムスクリーンが貼付されて構成されたスクリーンである。画像形成部２７は、プロジェクタ２４から照射された映像光を背面で受けて前面に表示する。
【００２３】
台座２８には、ボタン式の操作部３２と、音声出力部３３と、が設けられている。
【００２４】
操作部３２は、操作ボタンを備え、操作ボタンの押下信号を検出して制御部２３に出力する。
【００２５】
音声出力部３３は、スピーカ等により構成され、制御部２３から指示された音声データに基づいて音声を出力する。
【００２６】
操作部３２、音声出力部３３は、図２に示すように制御部２３に接続されている。
【００２７】
［一眼レフカメラ２の構成］
一眼レフカメラ２は、図４に示すように、制御部２０１、操作部２０２、表示部２０３、記憶部２０４、撮像部２０５、通信部２０６等を備えて構成されている。
【００２８】
制御部２０１は、記憶部２０４に記憶されている各種のプログラムを実行して所定の演算や各部の制御を行うＣＰＵとプログラム実行時の作業領域となるメモリとを備えている（いずれも図示略）。制御部２０１は、記憶部２０４に記憶されているプログラムとの協働により図５の画像補正処理における一眼レフカメラ２側の処理を始めとする各種処理を実行する。
【００２９】
操作部２０２は、電源ボタン、撮影ボタン、各種機能ボタン、各種モードボタン等の各種押しボタンを備え、ユーザによる各ボタンの押下入力を受け付けてその操作情報を制御部２０１に出力する。また、操作部２０２は、表示部２０３の表面を覆うように透明電極を格子状に配置したタッチパネル等を有し、手指やタッチペン等で押下された位置を検出し、その位置情報を操作情報として制御部２０１に出力する。  
【００３０】
表示部２０３は、ＬＣＤ（Liquid Crystal Display）等により構成され、制御部２０１からの表示制御信号に従って、画面上に各種表示を行う。
【００３１】
記憶部２０４は、不揮発性の半導体メモリ等により構成される。記憶部２０４には、制御部２０１で実行されるシステムプログラムや各種処理プログラム（アプリケーションプログラム）、これらのプログラムの実行に必要なデータ等が記憶されている。例えば、記憶部２０４は、図５の一眼レフカメラ２側の処理を実行するためのプログラム等が記憶されている。また、記憶部２０４には、撮像部２０５により取得された撮影画像や通信部２０６等により外部から取り込まれた撮影画像が記憶されている。撮影画像には、複数に分割された各ブロックのフォーカスの合う距離の情報が補助情報として含まれている。
【００３２】
撮像部２０５は、光学系、ＣＣＤ（Charge Coupled Device）やＣＭＯＳ（Complementary Metal-oxide Semiconductor）等のイメージセンサ等からなる撮像素子、Ａ／Ｄ変換回路等を備えて構成され、光学系を通過した光学像を２次元の画像信号に変換し画像データを取得する。
【００３３】
通信部２０６は、例えば、デジタルサイネージ装置１等の外部機器と通信を行うためのインターフェースを有する。通信部２０６は、例えば、ブルートゥース（登録商標）やＷｉ−Ｆｉ等の無線通信規格に従って外部機器とデータの送受信を行う。或いは、ＵＳＢ（Universal Serial Bus）等の有線通信規格に従って外部機器とデータの送受信を行うこととしてもよい。
【００３４】
［コンテンツ出力システム１００の動作］
次に、本実施形態におけるコンテンツ出力システム１００の動作について説明する。  本実施形態において、デジタルサイネージ装置１と一眼レフカメラ２は通信接続された状態であり、デジタルサイネージ装置１においては、例えば、「一眼レフカメラのレンズを付け替えて再生モードに設定すると、レンズの効果が体感できます！」等のメッセージが出力されている。メッセージに従って、顧客が一眼レフカメラ２のレンズを付け替えて再生モードに設定すると、図５に示す画像補正処理が開始される。図５に示すデジタルサイネージ装置１側の処理は、制御部２３とプログラム記憶部２５１に記憶されているプログラムとの協働により実行される。一眼レフカメラ２側の処理は、制御部２０１と記憶部２０４に記憶されているプログラムとの協働により実行される。
【００３５】
画像補正処理が開始されると、まず、一眼レフカメラ２の制御部２０１は、記憶部２０４に記憶されている撮影画像を表示部２０３に表示させる（ステップＳ１）。
ここで、ステップＳ１においては、店舗側で予め用意したサンプル画像を表示部２０３に表示させてもよいが、顧客が所望する撮影画像（レンズの効果を確認したい画像）を予め記憶部２０４に取り込んでおいて表示させてもよい。
【００３６】
次いで、制御部２０１は、表示中の撮影画像と、付け替えにより装着されたレンズのレンズ情報（装着レンズ情報と呼ぶ）を通信部２０６によりデジタルサイネージ装置１に送信する（ステップＳ２）。なお、撮影画像に付帯されているヘッダ情報には、その撮影画像の撮影時に使用されたレンズのレンズ情報（撮影レンズ情報と呼ぶ）が含まれる。
【００３７】
デジタルサイネージ装置１において、通信部２６により一眼レフカメラ２から送信された撮影画像及び装着レンズ情報が受信されると（ステップＳ３）、制御部２３は、受信した撮影画像から撮影レンズ情報を取得する処理を行う（ステップＳ４）。
受信した撮影画像からの撮影レンズ情報の取得が失敗した場合（ステップＳ５；ＮＯ）、制御部２３は、ステップＳ１０に移行し、プロジェクタ２４及び音声出力部３３により、一眼レフカメラ２に装着されたレンズを紹介するコンテンツを出力させる（ステップＳ１０）。
【００３８】
受信した撮影画像からの撮影レンズ情報の取得が成功した場合（ステップＳ４；ＹＥＳ）、制御部２３は、取得した撮影レンズ情報と受信した装着レンズ情報を比較する（ステップＳ６）。
取得した撮影レンズ情報と受信した装着レンズ情報が同じ場合（ステップＳ７；ＹＥＳ）、制御部２３は、ステップＳ１０に移行し、プロジェクタ２４及び音声出力部３３により、一眼レフカメラ２に装着されたレンズを紹介するコンテンツを出力させる（ステップＳ１０）。
【００３９】
取得した撮影レンズ情報と受信した装着レンズ情報が異なる場合（ステップＳ７；ＮＯ）、制御部２３は、取得した撮影レンズ情報と受信した装着レンズ情報に基づいて、受信した撮影画像を補正する（ステップＳ８）。
ステップＳ６において、制御部２３は、レンズ特性記憶部２５３を参照し、撮影レンズ情報に対応付けて記憶されている、受信した撮影画像を撮影したレンズのレンズ特性情報を取得する。また、制御部２３は、レンズ特性記憶部２５３を参照し、装着レンズ情報に対応付けて記憶されている、一眼レフカメラ２に装着されたレンズのレンズ特性情報を取得する。そして、取得した２つのレンズ情報に対応するレンズ特性情報に基づいて、撮影画像を補正する。例えば、取得した２つのレンズ情報に対応するレンズ特性情報に基づいて、撮影画像の明るさ、ボケ具合、被写体の写る範囲、被写体の大きさ等を一眼レフカメラ２に装着されたレンズのレンズ特性に応じた画像に補正する。明るさについては、撮影画像を撮影したレンズと一眼レフカメラ２に装着されたレンズのＦ値の差異に基づいて補正を行う。ボケ具合については、撮影画像の各ブロックのフォーカスの合う距離と一眼レフカメラ２に装着されているレンズの焦点距離の差異に基づいて補正する。
【００４０】
撮影画像の補正が終了すると、制御部２３は、補正後の撮影画像を通信部２６により一眼レフカメラ２に送信する（ステップＳ９）。そして、プロジェクタ２４及び音声出力部３３により、一眼レフカメラ２に装着されたレンズを紹介するコンテンツを出力させる（ステップＳ１０）。
【００４１】
一眼レフカメラ２において、通信部２０６により補正後の撮影画像が受信されると（ステップＳ１１）、制御部２０１は、受信した撮影画像を表示部２０３に表示させる（ステップＳ１２）。
【００４２】
このように、コンテンツ出力システム１００においては、一眼レフカメラ２のレンズを付け替えると、表示部２０３に表示されている撮影画像を一眼レフカメラ２に装着したレンズの特性に基づいて補正して表示部２０３に表示するので、一眼レフカメラ２のレンズを実際に付け替えた場合に一眼レフカメラ２側で得られる撮影画像がどのように変化するのかを顧客に体感してもらうことができ、効果的な宣伝を行うことができる。
【００４３】
以上説明したように、デジタルサイネージ装置１によれば、通信部２６により一眼レフカメラ２に装着されたレンズに係る装着レンズ情報を受信すると、制御部２３は、受信した装着レンズ情報に基づいて撮影画像を補正し、補正された撮影画像を通信部２６により一眼レフカメラ２に送信する。
従って、一眼レフカメラ２においてレンズを実際に付け替えた場合の効果を顧客が体感することが可能となり、宣伝効果を向上させることができる。
【００４４】
また、デジタルサイネージ装置１の制御部２３は、通信部２６により一眼レフカメラ２からの装着レンズ情報が受信されると、装着されたレンズに係るコンテンツをプロジェクタ２４及び音声出力部３３により出力させる。従って、顧客が一眼レフカメラ２にレンズを付け替えた際に、そのレンズに係る広告を出力することができるので、宣伝効果を向上させることが可能となる。
【００４５】
また、デジタルサイネージ装置１の制御部２３は、一眼レフカメラ２から装着レンズ情報とともに表示部２０３に表示されている撮影画像を取得し、取得された装着レンズ情報に基づいて、取得された撮影画像を装着されたレンズの特性に応じた画像に補正して一眼レフカメラ２に送信する。従って、一眼レフカメラ２においてレンズを実際に付け替える前後の撮影画像を表示することが可能となるので、一眼レフカメラ２のレンズを実際に付け替えた場合に一眼レフカメラ２側で得られる撮影画像がどのように変化するのかを顧客に体感してもらうことができ、効果的な宣伝を行うことができる。
【００４６】
なお、上記実施形態における記述内容は、本発明に係るコンテンツ出力システムの好適な一例であり、これに限定されるものではない。
【００４７】
例えば、上記実施形態においては、商品が一眼レフカメラであり、付属品がレンズである場合を例にとり説明したが、これに限定されるものではない。
【００４８】
また、上記実施形態においては、装着されたレンズのレンズ特性に基づいて補正された画像を一眼レフカメラ２に表示させることとしたが、デジタルサイネージ装置１の画像形成部２７にも表示させることとしてもよい。これにより、顧客は、レンズの付け替え及びその効果を一眼レフカメラ２で体感できるとともに、レンズの交換による効果を大きな画面で確認することが可能となる。
また、上記実施形態においては、一眼レフカメラ２に記憶されている撮影画像を補正して一眼レフカメラ２で表示することとしたが、デジタルサイネージ装置１の記憶部２５に記憶されている撮影画像を一眼レフカメラ２から送信された装着レンズ情報に基づいて補正してプロジェクタ２４により画像形成部２７に表示することとしてもよい。これにより、レンズの交換による効果を大きな画面で確認することが可能となる。
【００４９】
また、上記実施形態では、ステップＳ１で一眼レフカメラ２に撮影画像を表示したが、これに限らず、ステップＳ１でデジタルサイネージ装置１に表示をし、装着レンズ情報に基づいて撮影画像を補正し一眼レフカメラ２に送信してもよい。
また、上記実施形態においては、コンテンツを出力する出力手段（プロジェクタ２４、音声出力部３３）が画像を補正する補正手段やコンテンツを出力制御する出力制御手段と同一装置内に構成されている場合を例にとり説明したが、これらは別体であってもよい。
【００５０】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等を備える表示装置に適用しても同様の効果を奏することができ、この例に限定されない。
【００５１】
その他、コンテンツ出力システムを構成する各装置の細部構成及び細部動作に関しても、発明の趣旨を逸脱することのない範囲で適宜変更可能である。
【００５２】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
商品に装着された付属品に係る付属品情報を取得する取得手段と、  
前記取得手段により取得された付属品情報に基づいて画像を補正する補正手段と、  前記補正手段により補正された画像を前記商品に送信する送信手段と、
を備える通信装置。
＜請求項２＞
前記取得手段により前記付属品情報が取得された場合に、前記付属品に係るコンテンツを出力手段に出力させる出力制御手段を備える請求項１に記載の通信装置。
＜請求項３＞
前記取得手段は、前記商品から前記付属品情報とともに前記商品に表示されている画像を取得し、
前記補正手段は、前記取得手段により取得された付属品情報に基づいて、前記取得手段により取得された画像を補正する請求項１又は２に記載の通信装置。
＜請求項４＞
前記商品は撮影装置であり、前記付属品はレンズであり、
前記補正手段は、前記取得手段により取得されレンズ情報に基づいて、前記画像を前記撮影装置に装着されたレンズの特性に応じた画像に補正する請求項１〜３の何れか一項に記載の通信装置。
＜請求項５＞
前記画像は撮影画像であり、当該撮影画像には、当該撮影画像を撮影したときに使用されたレンズのレンズ情報が付帯されており、
前記補正手段は、前記取得手段により取得されたレンズ情報と前記撮影画像に付帯されているレンズ情報とに基づいて、前記撮影画像を前記撮影装置に装着されたレンズの特性に応じた画像に補正する請求項４に記載の通信装置。
＜請求項６＞
商品に装着された付属品に係る付属品情報を取得する取得工程と  
前記取得工程において取得された付属品情報に基づいて画像を補正する補正工程と、  前記補正工程において補正された画像を前記商品に送信する送信工程と、
を含む通信方法。
＜請求項７＞
コンピュータを、
商品に装着された付属品に係る付属品情報を取得する取得手段、  
前記取得手段により取得された付属品情報に基づいて画像を補正する補正手段、
前記補正手段により補正された画像を前記商品に送信する送信手段、
として機能させるためのプログラム。
【符号の説明】
【００５３】
１００  コンテンツ出力システム
１  デジタルサイネージ装置
２３  制御部
２４  プロジェクタ
２５  記憶部
２５１  プログラム記憶部
２５２  コンテンツ情報記憶部
２５３  レンズ特性記憶部
２６  通信部
３２  操作部
３３  音声出力部
２  一眼レフカメラ
２０１  制御部
２０２  操作部
２０３  表示部
２０４  記憶部
２０５  撮像部
２０６  通信部
【図１】
2018101935.tif 000003
【図２】
2018101935.tif 000004
【図３】
2018101935.tif 000005
【図４】
2018101935.tif 000006
【図５】
2018101935.tif 000007